(57)【要約】【課題】腕時計のような振動機能付き携帯機器、またはそのような携帯機器で用いる振動モータの駆動方法において、電力消費を少なくして電池交換や充電の煩わしさを軽減するとともに、使用者が振動に気が付きやすいようにする。【解決手段】振動機能付き腕時計に、電源１０と、制御回路１１と、時計回路１２と、振動モータ１３を備える。そして、設定時刻になったとき時計回路１２から時刻信号等を受け、制御回路１１から駆動信号を出力して振動モータ１３を駆動し、報知時に振動モータにより一連の振動を間欠的に発生する。個々の振動発生時には、実際には制御回路１１から振動モータ１３にパルス状の駆動信号を出力する。パルス状の駆動信号は、１００ｍｓ以上５００ｍｓ以下の長さで、また同じく１００ｍｓ以上５００ｍｓ以下の間隔で、繰り返し振動モータ１３に出力する。【選択図】　　　　図１
2004032274.tif 000002
【特許請求の範囲】
【請求項１】
報知時に、振動モータで間欠的に振動を発生する振動機能付き携帯機器において、個々の振動発生時に制御回路から前記振動モータにパルス状の駆動信号を出力することを特徴とする、振動機能付き携帯機器。
【請求項２】
時計回路を有し、設定時刻に前記制御回路から前記駆動信号を出力することを特徴とする、請求項１に記載の振動機能付き携帯機器。
【請求項３】
前記パルス状の駆動信号を、１００ｍｓ以上５００ｍｓ以下の長さで、繰り返し前記振動モータに出力することを特徴とする、請求項１または２に記載の振動機能付き携帯機器。
【請求項４】
前記パルス状の駆動信号を、１００ｍｓ以上５００ｍｓ以下の間隔で、繰り返し前記振動モータに出力することを特徴とする、請求項１または２に記載の振動機能付き携帯機器。
【請求項５】
報知時に、振動モータで間欠的に振動を発生する、振動機能付き携帯機器で用いる振動モータの駆動方法において、個々の振動発生時に制御回路からパルス状の駆動信号を出力して前記振動モータを駆動することを特徴とする、振動モータの駆動方法。
【発明の詳細な説明】
【０００１】
【発明の属する技術分野】
この発明は、例えば腕時計内に振動モータを備え、振動モータの振動で設定時刻を報知したり、携帯電話内に振動モータを備え、振動モータの振動で電話がかかってきたことを報知したりするなどの振動機能付き携帯機器に関する。および、そのような振動機能付き携帯機器で用いる振動モータの駆動方法に関する。
【０００２】
【従来の技術】
従来、例えば腕時計の中には、振動モータを備え、その振動モータで間欠的に振動を発生して設定時刻となったことを報知するものがある。通常、この種の腕時計では、個々の振動発生時に、連続して振動モータを駆動し続けるのが一般的である。すなわち、図４に示すように、符号Ａで示す個々の振動発生時、それぞれ１秒前後の長い時間、制御回路から振動モータに連続的に駆動信号を出力していた。
【０００３】
【発明が解決しようとする課題】
よって、振動を発生している間は、ずっと連続的に電力を消費するから、電力消費が多くなってすぐに電池がなくなり、頻繁に電池交換や充電を行わなければならない煩わしさがあった。
【０００４】
また、振動自体も規則的な一定の強さの振動が続くだけであるから、強弱の変化のない単調な振動となって、使用者が気付きにくいという問題もあった。
【０００５】
そこで、この発明の目的は、上述の腕時計のような振動機能付き携帯機器、またはそのような携帯機器で用いる振動モータの駆動方法において、電力消費を少なくして電池交換や充電の煩わしさを軽減するとともに、使用者が振動に気が付きやすいようにすることにある。
【０００６】
【課題を解決するための手段】
そのため、この発明は、上記目的を達成すべく、報知時に、振動モータで間欠的に振動を発生する振動機能付き携帯機器において、個々の振動発生時に制御回路から振動モータにパルス状の駆動信号を出力する、ことを特徴とする。
【０００７】
請求項２に記載の発明は、請求項１に記載の振動機能付き携帯機器において、時計回路を有し、設定時刻に制御回路から前記駆動信号を出力する、ことを特徴とする。
【０００８】
請求項３に記載の発明は、請求項１または２に記載の振動機能付き携帯機器において、パルス状の駆動信号を、１００ｍｓ以上５００ｍｓ以下の長さで、繰り返し振動モータに出力する、ことを特徴とする。
【０００９】
請求項４に記載の発明は、請求項１または２に記載の振動機能付き携帯機器において、パルス状の駆動信号を、１００ｍｓ以上５００ｍｓ以下の間隔で、繰り返し振動モータに出力する、ことを特徴とする。
【００１０】
請求項５に記載のものは、報知時に、振動モータで間欠的に振動を発生する、振動機能付き携帯機器で用いる振動モータの駆動方法において、個々の振動発生時に制御回路からパルス状の駆動信号を出力して振動モータを駆動する、ことを特徴とする。
【００１１】
【発明の実施の形態】
以下、図面を参照しつつ、この発明の実施の形態につき説明する。
図１には、この発明による振動機能付き携帯機器の一例としての振動機能付き腕時計を示す。
【００１２】
図示振動機能付き腕時計には、電源１０と、制御回路１１と、時計回路１２と、振動モータ１３とを備える。
【００１３】
そして、電源１０から電力を供給して制御回路１１で時計回路１２を働かせ、主にアナログ時計では時針や分針等を用いて、デジタル時計ではＬＣＤ等を用いて時刻を表示する。
【００１４】
この腕時計では、不図示の設定ボタン等を操作して任意の時刻を設定し得るようになっていて、その設定時刻になったとき時計回路１２から時刻信号等を受け、制御回路１１から図２中Ｂで示すような駆動信号を出力して振動モータ１３を駆動し、報知時に振動モータ１３により一連の振動を繰り返し間欠的に発生するようになっている。
【００１５】
この駆動信号Ｂに基づく個々の振動発生時には、実際には図３で示すように制御回路１１から振動モータ１３にパルス状の駆動信号ｂを出力するようになっている。制御回路１１からのパルス状の駆動信号ｂは、１００ｍｓ以上５００ｍｓ以下の長さｔ１で、また同じく１００ｍｓ以上５００ｍｓ以下の間隔ｔ２で、繰り返し振動モータ１３に出力する。
【００１６】
このように、図示例の振動機能付き腕時計では、個々の振動発生時に制御回路１１から振動モータ１３に連続的ではなく、パルス状の駆動信号ｂを出力するので、消費電力を少なくすることができる。また、規則的な一定の強さの振動が続くだけではなく、振動に強弱を付けて、使用者に効果的に振動を伝えることができる。
【００１７】
また、パルス状の駆動信号ｂを、１００ｍｓ以上５００ｍｓ以下の長さｔ１で、また同じく１００ｍｓ以上５００ｍｓ以下の間隔ｔ２で、繰り返し振動モータ１３に出力するので、最適な間隔のパルスで振動に強弱を付けて使用者に一層効果的に振動を伝えることができる。
【００１８】
【発明の効果】
以上説明したように、この発明によれば、個々の振動発生時に制御回路から振動モータにパルス状の駆動信号を出力するので、連続的な駆動信号を出力する従来のものに比し、消費電力を少なくして電池交換や充電の煩わしさを軽減することができる。また、規則的な一定の強さの振動が続く従来のものに比し、振動に強弱を付けて、使用者に有効に振動を伝えることができる。
【００１９】
請求項２に記載の発明によれば、時計回路を有し、設定時刻に制御回路から駆動信号を出力するので、少ない消費電力で、設定時刻を報知することができる。
【００２０】
請求項３および４に記載の発明によれば、パルス状の駆動信号を、１００ｍｓ以上５００ｍｓ以下の長さで、また同じく１００ｍｓ以上５００ｍｓ以下の間隔で、繰り返し振動モータに出力するので、最適な間隔のパルスで振動に強弱を付けて、使用者に一層効果的に振動を伝えることができる。
【図面の簡単な説明】
【図１】この発明による振動機能付き携帯機器の一例としての振動機能付き腕時計における構成ブロック図である。
【図２】その制御回路から出力する振動モータ駆動信号の波形図である。
【図３】個々の振動発生時におけるパルス状の駆動信号の波形図である。
【図４】従来の振動モータ駆動信号の波形図である。
【符号の説明】
１０　　電源
１１　　制御回路
１２　　時計回路
１３　　振動モータ
Ｂ　　個々の一連の振動を発生する駆動信号
ｂ　　パルス状の駆動信号
ｔ１　　駆動信号の長さ
ｔ２　　駆動信号の間隔
【図１】
2004032274.tif 000003
【図２】
2004032274.tif 000004
【図３】
2004032274.tif 000005
【図４】
2004032274.tif 000006